(57)【特許請求の範囲】
【請求項１】
底壁に吸塵開口、及びこの開口の前側に位置される前部底壁部分に、この底壁部分を横切って同底壁部分の下面に開放され前記吸塵開口側の一端を吸塵溝出口とするとともに他端を吸塵溝入口とした一以上の吸塵溝を有する吸込み口体主部と、外周面に清掃部材を有して前記吸塵開口に臨んで前記吸込み口体主部内に回転自在に取付けられるとともに、前記吸込み口体主部の前進方向に対して逆方向に回転される回転清掃体とを具備した電気掃除機の吸込み口体において、
前記吸塵溝入口と前記吸塵溝出口とが前記吸込み口体主部の前後方向に対向し、かつ、前記吸塵溝出口の幅が前記吸塵溝入口の幅より狭まっているとともに、前記吸塵開口側から前記吸塵溝をみて前記吸塵溝入口の一部を覆い隠す障壁部を、前記吸塵溝の少なくとも一側に位置させて前記底壁に設けたことを特徴とする吸込み口体。
【請求項２】
前記吸塵溝の相対向する溝側面を平坦な面で形成したことを特徴とする請求項１に記載の吸込み口体。
【請求項３】
掃除機本体内の電動送風機の動作により吸込み口体の吸塵開口から被掃除面側の空気を吸込み、この吸込んだ空気をフィルタに通して塵埃を捕捉し、前記フィルタを通過して前記電動送風機から排出される空気を前記吸塵開口に戻して、この戻された空気を循環させながら掃除を行なう空気循環式の電気掃除機において、前記吸込み口体を前記請求項１又は２に記載の吸込み口体としたことを特徴とする電気掃除機。
【請求項４】
掃除機本体内の電動送風機の動作により吸込み口体の吸塵開口から被掃除面側の空気を吸込み、この吸込んだ空気をフィルタに通して塵埃を捕捉し、前記フィルタを通過して前記電動送風機から排出される空気を前記掃除機本体外に放出しながら掃除を行なう空気非循環式の電気掃除機において、前記吸込み口体を前記請求項１又は２に記載の吸込み口体としたことを特徴とする電気掃除機。
【発明の詳細な説明】
【０００１】
【発明の属する技術分野】
本発明は、吸込み口体主部内にモータの回転力や風力等により回転される回転清掃体を内蔵した吸込み口体、及びこの吸込み口体を備える空気循環式又は空気非循環式の電気掃除機に関する。
【０００２】
【従来の技術】
電気掃除機の吸込み口体の中には、その吸込み口体主部の底壁に設けた吸塵開口の前側に位置される前部底壁部分に、この部分を横断し下面に開放された吸塵溝を設けたものがある。この吸塵溝は、その溝幅が比較的大きく、そして曲ったりすることなく吸込み口体主部の幅方向に直角に交差する方向に真っ直ぐに形成されていて、その吸塵開口側の吸塵溝出口と吸込み口体主部の前端側の吸塵溝入口とは、吸込み口体主部の前後方向に互いに対向している。
【０００３】
こうした吸塵溝を設けることにより、吸込み口体主部を絨毯面以外の床面上を前進させるときに、前側にある比較的大きい塵埃を吸塵溝を通して吸込むことができるとともに、床面と壁面等がなすコーナー部に吸込み口体主部を押し付けたときに、このコーナー部の塵埃を吸込むことができ、又、吸塵溝を通しての吸気により吸込み口体主部が床面に強く吸付けられて前進時の走行性が低下することを抑制することができる。
【０００４】
一方、吸込み口体主部に吸塵開口に臨んで収容された回転清掃体の中には、吸込み口体主部の前進方向に対して逆方向に回転される（なお、より正確には回転清掃体はその回転軸から下側の部分が吸込み口体主部の前進方向と逆方向に動きながら回転される。）ものがある。
【０００５】
このように回転清掃体を逆方向回転させる吸込み口体では、その前進時に、延長管を介して斜め上からの波及される前進操作に伴い吸込み口体主部が床面に押し付けられることに加えて、吸込み口体が前進しようとする動きに逆らって回転清掃体が回転されることにより、前進方向に対して回転清掃体が順方向に回転される場合に比較して、回転清掃体が有する可撓性ブレードやブラシ毛等の清掃部材が床面により強く接しながら回転される。そのため、フローリング等の床面の塵埃を清掃部材が掃き出す作用を強め得ることができる点で優れている。
【０００６】
しかし、以上のように掃き出し性能が高められることに伴い、清掃部材で掃き出された床面の塵埃は、回転清掃体の回転方向にしたがって前側へ弾き飛ばされる。そのため、既述のように吸塵開口の前側位置の前部底壁部分に真っ直ぐな吸塵溝がある構成では、弾き飛ばされた塵埃の一部が、吸塵溝を通る風速に逆らい、この吸塵溝を通って吸込み口体の前側に飛び出すことがある。特に、空気循環式の電気掃除機用の吸込み口体では、空気を循環させるために吸込み口体主部の周囲からの吸込み作用がさほど強くないので、既述のように弾き飛ばされた塵埃が前方へ吸塵溝を通り抜け易い。
【０００７】
又、空気循環式用の吸込み口体では、その吸込み口体と掃除機本体とにわたって循環する空気が、吸込み口体の吸塵開口を通って特に前側に吹き出さないようにするために、柔軟性のあるシールリップやブラシ毛等の防風材を吸込み口体主部の前部底壁部分に取付けたり、或いは、吸込み口体主部の前部底壁部分と床面との間の離間距離を狭めることが行われている。しかし、このような防風材を吸塵溝からの塵埃の飛び出し防止に適用し、吸塵溝の風路を遮るように防風材を設けることは、吸塵溝の機能を消失してしまうので、吸塵溝を通って外部に塵埃が弾き出されることを防止するには有効ではない。又、後者のようにしても、吸塵溝の機能を維持する限り、その吸塵溝を通って外部に塵埃が弾き出されることを防止することはできず、これも有効な対策ではない。
【０００８】
【発明が解決しようとする課題】
本発明が解決しようとする第１の課題は、吸込み口体主部の前部底壁部分に吸塵溝を有するにも拘らず、この溝から塵埃が漏れることを抑制しつつ、吸塵溝の機能を全うできるようにした吸込み口体を得ることにある。
【０００９】
又、本発明が解決しようとする第２の課題は、第１の課題を解決して掃除性能を向上できる高品質な電気掃除機を得ることにある。
【００１０】
【課題を解決するための手段】
請求項１に係る発明は、底壁に吸塵開口、及びこの開口の前側に位置される前部底壁部分に、この底壁部分を横切って同底壁部分の下面に開放され前記吸塵開口側の一端を吸塵溝出口とするとともに他端を吸塵溝入口とした一以上の吸塵溝を有する吸込み口体主部と、外周面に清掃部材を有して前記吸塵開口に臨んで前記吸込み口体主部内に回転自在に取付けられるとともに、前記吸込み口体主部の前進方向に対して逆方向に回転される回転清掃体とを具備した電気掃除機の吸込み口体を前提とする。
【００１１】
そして、前記第１の課題を解決するために、請求項１に係る発明の吸込み口体は、前記吸塵溝入口と前記吸塵溝出口とが前記吸込み口体主部の前後方向に対向し、かつ、前記吸塵溝出口の幅が前記吸塵溝入口の幅より狭まっているとともに、前記吸塵開口側から前記吸塵溝をみて前記吸塵溝入口の一部を覆い隠す障壁部を、前記吸塵溝の少なくとも一側に位置させて前記底壁に設けたことを特徴とするものである。
【００１２】
この発明及び請求項２の発明に係る吸込み口体は、空気循環式又は空気非循環式の電気掃除機に備えられるとともに、これらの発明において回転清掃体は、吸込み口体主部に内蔵されたモータの動力で回転されるものであってもよく、又、風力（例えば、空気循環式用のものにあっては循環されて吸込み口体主部を通過する循環空気の力、或いは空気非循環式用のものにあっては吸込み口体主部にその外部から吸込まれて吸込み管へと至る吸込み空気の力）で回転されるものであってもよい。更に、この発明及び請求項２の発明の発明においては、吸込み口体主部の前部底壁部分に、吸塵溝を避けてシールリップやブラシ毛等の防風材を設けたり、或いは前部底壁部分の吸塵溝を避けた部分と床面との距離を、前側に弾かれた塵埃の前方への飛び出しを抑制できるような隙間に設定して実施することを妨げるものではなく、こうして実施する場合には、吸塵溝以外の前部底壁部分からも塵埃の漏れを防止できる点で好ましい。又、この発明及び請求項２の発明の発明において、回転清掃体の清掃部材には、ブラシ毛の列や可撓性を有するブレードを使用できるとともに、この清掃部材は回転清掃体の軸線方向に直線状に延びていてもよく、或いはねじれていてもよく、又、長手方向中央を屈曲点として左右両側が互いに逆方向に傾斜していてもよい。又、この発明及び請求項２の発明の発明において、障壁部は、前部底壁部分と一体に形成できるとともに、例えば密集したブラシ毛の列を吸塵溝等に取付けることによって形成することもできる。
【００１３】
この請求項１の発明において、吸塵溝はその途中等に防風材等がなく、その両端の吸塵溝出口と吸塵溝入口とは夫々開放されているので、この吸塵溝を通して吸込み口体主部の前側の塵埃及び空気を吸込み口体主部内に吸込むことができる。その際、底壁に設けた障壁部は、回転される回転清掃体の清掃部材により吸込み口体主部の前側に向けて弾き飛ばされた塵埃が吸塵溝入口に至ることを邪魔するストッパとして作用する。それにより、弾き飛ばされた塵埃が吸塵溝の前方へ通り抜けることを抑制する。
【００１８】
更に、請求項１に係る発明の吸込み口体では、前記吸塵溝入口と前記吸塵溝出口とが前記吸込み口体主部の前後方向に対向し、かつ、前記吸塵溝出口の幅が前記吸塵溝入口の幅より狭まっている。この場合、吸塵溝の相対向する溝側面の両方が傾斜していてもよいとともに、その場合でも傾斜角度は同じでも異なっていてもよく、又、一方の溝側面のみが傾斜していてもよい。
【００１９】
この請求項１の発明においては、前方の塵埃を吸込み易いように吸塵溝の入口幅を大きく確保できるとともに、傾斜した溝側面を有して吸塵溝の少なくとも一側に設けられた前記障壁部によって、大きな開口面積を有する吸塵溝入口からの塵埃の飛び出しを抑制できる。
【００２０】
請求項２に係る発明の吸込み口体は、前記吸塵溝の相対向する溝側面を平坦な面で形成したことを特徴とする。この発明において、相対向する溝側面は、平行であっても、平行でなくてもよい。
【００２１】
この発明においては、溝側面がその途中で曲がっていないので、吸塵溝の風路抵抗が少なく、吸塵溝の前方の塵埃をより吸込み易くできる。
【００２６】
請求項３に係る発明の電気掃除機は、掃除機本体内の電動送風機の動作により吸込み口体の吸塵開口から被掃除面側の空気を吸込み、この吸込んだ空気をフィルタに通して塵埃を捕捉し、前記フィルタを通過して前記電動送風機から排出される空気を前記吸塵開口に戻して、この戻された空気を循環させながら掃除を行なう空気循環式の電気掃除機を前提とする。そして、前記第２の課題を解決するために、請求項３に係る発明の電気掃除機は、前記吸込み口体を前記請求項１又は２に記載の吸込み口体としたことを特徴とするものである。
【００２７】
したがって、この空気循環式の電気掃除機においては、吸込み口体主部の前部底壁部分に吸塵溝を有するにも拘らず、この溝から塵埃が漏れることを抑制しつつ、吸塵溝の機能（前方からの吸塵）を全うできる吸込み口体を備えるから、掃除性能を向上でき、それ故に高品質な空気循環式の電気掃除機を提供できる。
【００２８】
請求項４に係る発明の電気掃除機は、掃除機本体内の電動送風機の動作により吸込み口体の吸塵開口から被掃除面側の空気を吸込み、この吸込んだ空気をフィルタに通して塵埃を捕捉し、前記フィルタを通過して前記電動送風機から排出される空気を前記掃除機本体外に放出しながら掃除を行なう空気非循環式の電気掃除機を前提とする。そして、前記第２の課題を解決するために、請求項４に係る発明の電気掃除機は、前記吸込み口体を前記請求項１又は２に記載の吸込み口体としたことを特徴とするものである。
【００２９】
したがって、この空気非循環式の電気掃除機においては、吸込み口体主部の前部底壁部分に吸塵溝を有するにも拘らず、この溝から塵埃が漏れることを抑制しつつ、吸塵溝の機能（前方からの吸塵）を全うできる吸込み口体を備えるから、掃除性能を向上でき、それ故に高品質な空気循環式の電気掃除機を提供できる。
【００３０】
【発明の実施の形態】
以下、図１〜図１０を参照して本発明の第１参考例を説明する。図１及び図２に示されるように第１参考例に係るアップライト型の空気循環式電気掃除機１１は、掃除機本体１２と、吸込み口体１３と、ハンドル１４とを備えている。
【００３１】
掃除機本体１２は、左右一対の合成樹脂製本体ケース２１をねじ止め等により連結して形成されている。この本体ケース２１の上端部一側（使用時に裏側となる側）には枢着部１５を介してハンドル１４が連結されている。操作スイッチ１４ａを有するハンドル１４は、使用時には図１に示されるように掃除機本体１２の上方に連続して延びる使用位置に配置され、非使用時には枢着部１５を中心に下方に回動して折り畳まれて掃除機本体１２の前記裏側に沿う非使用位置に配置される。
【００３２】
本体ケース２１の下端部にはその下端面に露出する接続口２２が取付けられている。図３に示されるように接続口２２には吸込み口体１３が着脱自在に挿入して取付けられる。この接続口２２は、大径部２２ａと小径部２２ｂとを連ねて段付き円筒状をなしていて、その小径部２２ｂと大径部２２ａとの境をなす壁面には複数の通気孔２２ｃが周方向に間隔的に設けられている。
【００３３】
図２に示されるように両本体ケース２１の内面にはこれらの連結に伴って先端が互いに当接される所要の仕切りリブが一体に設けられており、これらリブによって、本体ケース２１内は、下部の集塵室２３と、中間部の排気室２４と、上部のリール収容部２５と、集塵室２３及び排気室２４にわたる還流室２６とに仕切られている。排気室２４の前側（吸込み空気を基準に上流側）に位置された集塵室２３は、掃除機本体１２の使用時に表側となる面において開口され、この開口は本体ケース２１の下部に着脱可能に取付けられるケース蓋２７により気密的に閉じられている。
【００３４】
図３に示されるように集塵室２３の斜状底壁部はフィルタ取付け部２８として形成され、このフィルタ取付け部２８の近傍には手動により図示しないばねの力に抗して矢印Ｅ方向に枢軸２９を中心にして回動操作されるフィルタ押さえ３０が取付けられている。フィルタ取付け部２８と接続口２２の小径部２２ｂとの間には、これらの間を気密に仕切る環状のゴムシール２０が介装されており、このシール２０は次に説明する口枠の吸込み開口を開閉する弁板部２０ａを一体に有している。弁板部２０ａは吸込み負圧によって引き動かされて前記吸込み開口を開くとともに、前記負圧の消失に伴い自身の弾性力で吸込み開口を閉じる位置に戻される。
【００３５】
集塵室２３に出し入れ可能に収容されるフィルタとしての紙パック製の集塵袋３１は、その平板状でかつ中央部に吸込み開口を有した口枠３１ａを、フィルタ押さえ３０によりフィルタ取付け部２８に取付けて、集塵室２３に収容されている。集塵室２３の上部には多数の細長い通気孔を有したフィルタ支え３２が収容され、このフィルタ支え３２は掃除動作に伴い膨張した集塵袋３１を支持する。
【００３６】
排気室２４には電動送風機３５がその吸込み口を集塵室２３側に向けて設置されている。３６、３７は電動送風機３５の前後両端部に嵌合された防振用のモータ支持ゴムである。排気室２４と集塵室２３との境界部に位置される仕切りリブ３８には前記吸込み口に対向する開口３８ａが開けられており、それによって集塵室２３内の集塵袋３１を通過した空気が電動送風機３５に吸込まれる。なお、図２中４５は電動送風機３５の吸込み側に連通して配置されて集塵室２３内の真空圧が所定の値より下がった時に開いて掃除機本体１２外の空気（外気）を集塵室２３内に導入するためのリーク弁である。
【００３７】
電動送風機３５は、電動送風部３５ａとこの送風部３５ａに取付けられたモータカバー３９とを備えている。図２に示されるように電動送風部３５ａは、ディフューザ及び遠心ファンをファンカバーの内部に収めた送風部３５ｂの下流側に、固定子及び回転子等の前記送風部以外の部品からなる整流子モータ部３５ｃが突出した構成となっている。ファンカバーの外周面には前記モータ支持ゴム３６が嵌合されている。この電動送風機３５の運転時には、その吸込み口から遠心ファンに吸込まれた集塵室２３側の空気は、このファンの周囲から吐出された後、ファンカバーの内面で案内されながらディフューザ内にその外周部の入口から流入し、そして、このディフューザにより静圧化されながら主として整流子モータ部３５ｃの周囲等に向けて流出される。
【００３８】
合成樹脂によりカップ状に成形されたモータカバー３９は、送風部３５ｂのディフューザよりも下流側部分を覆い隠している。このカバー３９の開口縁部は、ファンカバーの外周部に、両カバー間を気密的にシールする前記モータ支持ゴム３６を挟んで嵌合されている。モータカバー３９の周壁には、モータカバー３９内と排気室２４とを連通する図示しない複数の排気小孔が開けられているとともに、排気室２４に臨んで本体ケース２１には図示しない排気口（前記排気小孔よりも排気面積が遥かに大きい。）が設けられていて、これらの排出経路により循環風量に対して所定量の空気を掃除機本体１２外に排出して必要な吸気性能を得ることができるようになっている。
【００３９】
モータカバー３９の底壁中央部にはその外面から突出して前記モータ支持ゴム３７が取付けられている。このモータカバー３９を備えた電動送風機３５は、その軸方向両端部にモータ支持ゴム３６、３７を夫々嵌め付けた状態で、排気室２４及びリール収容部２５の境界をなす仕切りリブ２１ｂと前記仕切りリブ３８との間に挿入して設置される。図２に示されるようにリール収容部２５には電動送風機３５に給電するためのコードリール４０が収容されている。
【００４０】
図２に示されるようにモータカバー３９の周部には前記図示しない排気小孔に比較して遥かに開口面積が大きい空気出口４１が一体に突設され、この出口４１にはゴムパッキン４２が嵌合されている。空気出口４１は前記還流室２６を仕切る仕切りリブ４３に設けた孔４４に気密的に接続されている。そのため、空気出口４１を介してモータカバー３９内と還流室２６とは連通されている。
【００４１】
次に、図３〜図１０を参照して前記吸込み口体１３について説明する。吸込み口体１３は、掃除機本体１２側に連通される接続部としての合成樹脂製の連通管５１と、還流吹出し口５４を有する合成樹脂製の吸込み口体主部５２と、回転清掃体５３とを備え、その内部に戻り風路Ａ及び吸込み風路Ｂを有している。
【００４２】
前記接続口２２に着脱可能に嵌入して取付けられることにより掃除機本体１２側に連通される連通管５１は、図３、図５、図７、図９に示されるように接続口２２の大径部２２ａ内に挿脱可能に差込み接続された大径な外側管部６１と、この内側に複数のリブを介して一体かつ同心的に設けられるとともに接続口２２の小径部２２ｂ内に挿脱可能に差込み接続された小径な内側管部６２と、互いに背向するように逆向きとなって両管部６１、６２の軸方向に対して略直角状に突設された左右一対の枢軸管部６３とを有している。一対の枢軸管部６３は、円筒形状をなしているとともに、その開放された先端縁には周方向に連続するフランジ６３ａが一体に突設されている。
【００４３】
外側管部６１の一端は開放されており、他端は一対の連通口６４を介して枢軸管部６３に個別に連通されている。枢軸管部６３の先端は開放されており、奥端は内側管部６２で閉じられている。外側管部６１の外周面には合成ゴム製Ｏリング等の環状シール材６５が取付けられている。図３に示されるように外側管部６１は、その外周面から一体に張り出したフランジ部６１ａが、前記接続口２２の大径部２２ａの先端に当るまでこの大径部２２ａの内側に嵌入される。この嵌合による接続状態で、大径部２２ａと外側管部６１との間の気密はシール材６５により確保されるとともに、内外両管部６１、６２間の流路部分は通気孔２２ｃを介して前記還流室２６に連通される。なお、接続口２２側には図示しないロック機構が設けられ、この機構の爪を外側管部６１の外周面に設けた凹み６１ｂに引っ掛けることにより、接続口２２に対する吸込み口体１３の外れ止めがなされるとともに、この外れ止めはメンテナンス等の必要により外すことができる。
【００４４】
外側管部６１よりも長い円筒形状の内側管部６２の軸方向両端はいずれも開放されている。接続口２２への連通管５１の前記取付けに伴い小径部２２ｂ内に嵌入された内側管部６２は、塵埃を含んだ空気を前記集塵袋３１内に導くようになっている。
【００４５】
接続口２２外に突出された内側管部６２の先端部の開口は、枢軸管部６３間に設けられる入口６２ａをなしており、その上下縁には入口上部壁６６及び入口下部壁６７とが夫々外向きに突出されている。この入口６２ａと一対の枢軸管部６３との境界をなす左右一対の入口端部側壁６２ｂは、これらの対向面間距離が内側管部６２に対する空気の吸込み方向上流側（図９点鎖線の矢印で示す。）程広がるように斜状に形成されている。この構成は風損を少なくして円滑に空気を入口６２ａに吸込むことができる点で優れている。
【００４６】
図３、図４〜図６、図９等に示されるように吸込み口体主部５２は、主部上ケース７１と、主部下ケース７２と、これらの間に挟着される主部中ケース７３とをねじ止めにより連結して形成されている。
【００４７】
主部中ケース７３より後側において主部上下両ケース７１、７２の内面には、半円状の凹みを有した一対の軸受部７４（主部下ケース７２側のもののみ図５、図６に示す。）が夫々一体に突設されていて、これら互いに合わされる上下の軸受部７４により前記各枢軸管部６３が夫々上下から挟まれて回動可能に連結されている。この連結構造により吸込み口体主部５２の後部に連通管５１が上下方向に起倒するように回動可能に枢着され、この回動により吸込み口体主部５２は被掃除面に対して適正な姿勢を得られるようになっている。連通管５１と吸込み口体主部５２の相対的回動は、前記入口下部壁６７と、主部下ケース７２にその軸受部７４間にわたって設けた上向きのストッパ部７５とにより規制されるとともに、この回動の際フランジ部６１ａと軸受部７４との互いの合い面は摺接される。図９中Ｐは連通管５１と吸込み口体主部５２との回動中心を示している。
【００４８】
吸込み口体主部５２内は、吹出し室８１と、この吹出し室８１の下側の回収室としての清掃体収容室８２とに区画されていて、主部中ケース７３は両室８１、８２間の隔壁をなしている。吹出し室８１は、主部上ケース７１の内面に突設されたリブ８３（図４参照）と、主部下ケース７２の内面に突設されたリブ８４（図５、図６参照）との合い面を互いに凹凸嵌合させるとともに、前記リブ８３に連なって主部上ケース７１の内面に突設されたリブ８５（図４参照）と、主部中ケース７３の上面に突設されたリブ８６（図５参照）との合い面を互いに凹凸嵌合させることにより、仕切られている。
【００４９】
清掃体収容室８２は、主部下ケース７２と主部中ケース７３とで区画されており、これら両ケース７２、７３の合い面は互いに凹凸嵌合されている。主部下ケース７２の底壁１７２には、図３及び図９等に示されるように清掃体収容室８２に臨んで吸塵開口９１が形成されている。この吸塵開口９１は吸込み口体１３の幅方向（図４〜図６、図８において左右方向）に延びる長方形の開口で形成されている。図８等に示されるように主部下ケース７２の底壁１７２には、吸塵開口９１の後縁に沿って固定ブラシ９２が取付けられている。このブラシ９２は吸塵開口９１を通って被掃除面に吹付けられた空気が吸込み口体１３の後方に吹き抜けることを抑制する防風手段としても使用される。
【００５０】
図９に示されるように主部中ケース７３の幅方向中央部における後端部は、上向きに折り曲げられて主部上ケース７１の内面に凹凸嵌合されているとともに、この折り曲げ部分には円弧状部７３ａが形成されている。この円弧状部７３ａは前記連通管５１の入口６２ａの前側に対向するように配置されている。主部下ケース７２には円弧状部７３ａの幅方向両端から下側に連続する円弧面を有したガイド９３が設けられている。これら相連続する円弧状部７３ａとガイド９３とは、円弧状をなすシャッタ９４の移動を案内する。吸込み口体主部５２に対する連通管５１の起倒動作に連動して往復移動されるシャッタ９４は、連通管５１と吸込み口体主部５２とにわたって設けられていて、その後縁部９４ａの内側には連通管５１の入口上部壁６６が引っ掛っている。
【００５１】
そのため、シャッタ９４は、図９に示されるように吸込み口体主部５２に対して連通管５１が斜めとなる使用姿勢にある場合に、入口上部壁６６に引張られて図９に示す開き位置に配置され、非使用時等において吸込み口体主部５２に対して連通管５１が略直角状となる姿勢にある場合に、図３に示されるように前記後縁部９４ａに内側管部６２が当ってこの管部６２に押されて閉じ位置に配置される。シャッタ９４が開き位置にある時は吸込み風路Ｂにおける前記入口６２ａの直前位置での風路断面積が最大となり、シャッタ９４が閉じ位置にある時は前記直前位置での風路断面積が最小（シャッタ９４が前記底壁７２に当って風路断面積が零となる状態を含む。）となるように設定されている。このように連通管５１がある角度以上に起き上がった際に連動するシャッタ９４を設けて、それにより前記風路断面積を制限することは、図２、図３に示されるように掃除機本体１２が自立姿勢に置かれた時に電動送風機３５が動作していても、吸込み口体１３を通って循環する風量が激減するので、自動的に回転清掃体５３の回転を著しく減速ないしは停止させることができる点で優れている。
【００５２】
前記清掃体収容室８２の前部は吸塵開口９１の真上に位置されてこの口９１に連通されている。清掃体収容室８２の後部はその幅方向中央部に集束されるように狭められて後方へ少し延びており、この延出後部は連通管５１の内側管部６２の入口６２ａに対向し連通している。そして、清掃体収容室８２と内側管部６２の内側流路とは互いに連通する吸込み風路Ｂを形成している。この風路Ｂを通って、吸塵開口９１に向けて清掃体収容室８２に吹出された空気とともに、この吸塵開口９１に被掃除面側から吸込まれる空気が、掃除機本体１２側に吸込まれるようになっている。
【００５３】
図６及び図９等に示されるように前記回転清掃体５３は、清掃体本体としての回転軸１０１に清掃部材として一枚以上の可撓性を有するブレード１０２を取付けるとともに、回転軸１０１の両端部に支え軸サポート１０３、１０４を夫々嵌着し、これらサポート１０３、１０４から夫々突設された支え軸１０５を軸受１０６で夫々支持して形成されている。したがって、回転清掃体５３は、その両端の軸受１０６以外の部分が一体に回転されるようになっている。本実施形態においてブレード１０２は複数であり、いずれも回転軸１０１と平行に延びて設けられている。回転清掃体５３は、その軸受１０６を主部下ケース７２の幅方向両端部に設けられた図示しない軸受保持部に回り止めして取付けることにより、吸塵開口９１と平行な姿勢でこの開口９１に臨んで清掃体収容室８２に収容されている。回転清掃体５３が回転される時、そのブレード１０２の先端部は吸塵開口９１を通過して被掃除面にこれを掃くように接する。
【００５４】
前記吹出し室８１の後部には図４及び図５に示されるように連通管５１の枢軸管部６３が配置されていて、これらの管部６３を介して吹出し室８１と連通管５１の内外両管部６１、６２間の流路とが連通されている。吹出し室８１は、主部中ケース７３を貫通する一対のスリット状の還流吹出し口５４によって清掃体収容室８２と連通されている。これらの吹出し口５４は、回転清掃体５３の軸方向両端側に与える回転力がばらつかないように同じ長さで、吸込み口体主部５２の幅方向に延びて形成されているとともに、回転清掃体５３の回転軸１０１を基準とした場合に、この回転軸１０１よりも連通管５１側でかつブレード１０２に上方から対向し、かつ、図５に示すように連通管５１の入口６２ａを避けてその両側に位置して夫々開口されている
このように吸塵開口９１との間に回転清掃体５３を置いて設けられた還流吹出し口５４は、そこから吹出し室８１内の空気を、吸塵開口９１に向けて下向きに吹出して回転清掃体５３のブレード１０２に吹付け、それにより、回転清掃体５３を図９反時計回り回転させるものである。すなわち、吸込み口体１３を前方へ押し動かす際に連れ回りする回転清掃体５３の回転方向を順方向と定義した時、この順方向とは逆方向に回転される（なお、より正確には回転清掃体５３の回転軸１０１から下側の部分が吸込み口体１３の前進方向と逆方向に動きながら回転される。）ようになっている。又、既述のように連通管５１の入口６２ａと一対の還流吹出し口５４とが、吸込み口体主部５２に幅方向にずれて設けられている構成によれば、一対の還流吹出し口５４から吹き出されて回転清掃体５３の周囲を反時計回りに流動した後に連通管５１の入口に吸込まれる空気の流れと、一対の還流吹出し口５４からの吹き出し空気流とが交差することを防止できる。そのため、吹出し及び吸込みが円滑に行われるとともに、還流吹出し口５４から吹き出された空気が前記のように回転清掃体５３の周囲を反時計回りに流動することなく、直ちに連通管５１の入口６２ａに吸込まれることが抑制されるに伴い、回転清掃体５３の回転性能が低下することを防止できる。
【００５５】
図８〜図１０に示すように吸塵開口９１の前側に位置される吸込み口体主部５２の底壁１７２の前部底壁部分１７２ａには、第１、第２の吸塵溝１７３、１７４と、第１吸塵溝１７３に対する障壁部１７５と、一対の第２吸塵溝１７４に対する障壁部１７６とが夫々設けられている。
【００５６】
第１吸塵溝１７３は、前部底壁部分１７２ａの長手方向中央部を横切るとともに同底壁部分１７２ａの下面に開放して設けられている。この吸塵溝１７３の吸塵開口９１側の一端は吸塵溝出口１７３ａをなし、この出口１７３ａとは反対側の他端は吸塵溝入口１７３ｂをなしている。なお、吸塵溝出口１７３ａは、この出口１７３ａを通り抜けた直後の空気が上向きに方向変換し易いように切欠き溝状をなしていて、それにより、吸塵溝出口１７３ａを通り抜けた直後の空気回転清掃体５３の回転を妨げるように下側位置のブレード１０２に衝突することを極力抑制するようになっている。
【００５７】
障壁部１７５は、吸塵開口９１側において吸塵溝出口１７３ａを２分して吸塵溝１７３の底面（使用状態では天井面となる）から下向きに折れ曲がって設けられている。したがって、障壁部１７５は、吸塵開口９１側から吸塵溝１７３をみてその吸塵溝入口１７３ｂの略全体を覆い隠すように設けられている。この障壁部１７５の下端面は前部底壁部分１７２ａの下面と略同じ高さ位置にあり、又、障壁部１７５の吸塵溝入口１７３ｂと対向する面は、吸塵溝１７３を通る空気を案内するガイド面１７５ａをなしている。
【００５８】
このような障壁部１７５を設けた関係で分割された吸塵溝出口１７３ａと吸塵溝入口１７３ｂとは、吸込み口体主部５２の幅方向に互いに位置をずらされているとともに、吸塵溝１７３自体が屈曲した風路を形成している。そのため、屈曲した風路を区画する吸塵溝１７３の相対向する一対の溝側面は、いずれも平坦ではなく屈曲しており、その屈曲部１７７は補助障壁部として吸塵溝出口１７３ａに対向している。
【００５９】
又、前記構成の第１吸塵溝１７３の左右両側に位置して左右対称な一対の吸塵溝１７４は、前部底壁部分１７２ａの長手方向両端部を斜状に横切るとともに同底壁部分１７２ａの下面に開放して設けられている。これら吸塵溝１７４の吸塵開口９１側の一端は吸塵溝出口１７４ａをなし、この出口１７４ａとは反対側の他端は吸塵溝入口１７４ｂをなしている。吸塵溝出口１７４ａは、この出口１７４ａを通り抜けた直後の空気が上向きに方向変換し易いように切欠き溝状をなしていて、それにより、吸塵溝出口１７４ａを通り抜けた直後の空気回転清掃体５３の回転を妨げるように下側位置のブレード１０２に衝突することを極力抑制するようになっている。
【００６０】
障壁部１７６は、吸塵溝１７４の片側に連続する部分、つまり、吸塵溝１７４の一方の溝側面をなして吸塵溝入口１７４ｂから吸塵溝出口１７４ａにわたる斜めの平坦なガイド面１７６ａを有する三角状部分で形成されており、この障壁部１７６は、吸塵開口９１側から吸塵溝１７４をみてその吸塵溝入口１７４ｂの全体を覆い隠すように設けられている。この障壁部１７６の下端面は前部底壁部分１７２ａの下面と略同じ高さ位置にあり、又、吸塵溝１７４の他方の溝側面は、障壁部１７６との間に吸塵溝出口１７４ａを確保するために平坦ではなく屈曲しており、その屈曲部１７８は補助障壁部として吸塵溝出口１７４ａに対向している。
【００６１】
このような障壁部１７６を設けた関係で吸塵溝出口１７４ａと吸塵溝入口１７４ｂとは、吸込み口体主部５２の幅方向に互いに位置をずらされているとともに、吸塵溝１７４自体が屈曲した風路を形成している。そして、吸塵溝出口１７４ａと吸塵溝入口１７４ｂとの位置を吸込み口体主部５２の幅方向にずらしたので、吸塵溝出口１７４ａの大きさに制約されずに吸塵溝入口１７４ｂの開口幅を大きくすることができ、それにより、吸塵溝入口１７４ｂの吸込み開口面積を大きくして、前方からの塵埃の吸込みを容易にできる。
【００６２】
又、対をなす第２吸塵溝１７４が、本参考例のように一部に屈曲を有しているかどうかに拘らず斜状の風路を形成する場合に、図８に示すように吸塵溝入口１７４ｂに対して吸塵溝出口１７４ａは吸込み口体主部５２の幅方向中央部寄りにずらして、言い換えれば、連通管５１の入口６２ａ側に位置をずらして設けるとよい。この構成により、第２吸塵溝１７４から吸込まれた空気及び塵埃が連通管５１に至る際に急激に方向を変えることが抑制されて、塵埃をより容易に吸込むことができる。
【００６３】
前記吸込み口体１３の構成において、連通管５１の内外両管部６１、６２間の流路、枢軸管部６３の内側流路、吸込み口体主部５２の吹出し室８１は、この記載順に互いに連通する戻り風路Ａを形成しており、前記電動送風機３５から吐出された空気は戻り風路Ａによって還流吹出し口５４に導かれて、この吹出し口５４を通って吸塵開口９１に戻されるようになっている。
【００６４】
なお、図中１１１は吸込み口体主部５２の前部外面に沿って取付けられたバンパー、１１２は主部下ケース７２に取付けられた前車輪、１１３、１１４は同じく後車輪である。
【００６５】
次に、前記構成の吸込み口体１３を備えた空気循環式電気掃除機１１の動作を説明する。この電気掃除機１１は、図１に示されるように掃除機本体１２の接続口２２に吸込み口体１３の連通管５１を差込み接続した状態で、コードリール４０から巻き戻された電源コードを介して電動送風機３５に給電し、この送風機３５を運転するとともに吸込み口体１３を被掃除面に接触させながら、ハンドル１４を介して電気掃除機１１全体を移動させることにより使用される。
【００６６】
この使用時には、吸込み口体１３の吸込み風路Ｂに導かれて集塵袋３１に流入した吸込み空気（図１及び図９中点線矢印で流れ方向を示す）中に含まれる塵埃が集塵袋３１に捕捉され、この集塵袋３１を通った空気は、更にフィルタ支え３２を通過して電動送風機３５に吸込まれてから、そのモータカバー３９の空気出口４１を通って還流室２６に排出される。この時、掃除機本体１２に設けた図示しない排気小孔から排気室２４を経由して図示しない排気口を通って掃除機本体１２外に排出しても、或いは前記排気子孔を設けることなく全ての空気を還流室２６に排出させてもよい。
【００６７】
還流室２６に流入した排気は、接続口２２の通気孔２２ｃから吸込み口体１３の戻り風路Ａに導かれて、その還流吹出し口５４から吸込み風路Ｂの清掃体収容室８２側に例えば吸塵開口９１に向けて吹出される。こうした空気の流れを図１及び図９中実線矢印で示す。そのため、吹出し空気は、還流吹出し口５４の真下に回転自在に配置された回転清掃体５３のブレード１０２の内後方に突出するように位置されたブレード１０２に上方から下向きに吹付けられて、この清掃体５３を吸込み口体１３の前進方向と逆方向（図９中反時計回り）に回転させるとともに、その直後に吸塵開口９１に対向している被掃除面に吹付けられてから、この被掃除面の塵埃を浮き上げながら方向変換して回転清掃体５３の前側周囲に沿うように流れて、連通管５１の入口６２ａに吸込まれて吸込み風路Ｂに回収される。そして、この回収に伴い掃除機本体１２の集塵室２３に吸込まれる。
【００６８】
このように電動送風機３５から排出された空気を吸込み口体１３で回収し循環させることに伴い、その勢いで吸込み口体１３の底壁１７２と被掃除面との間の外部の空気を塵埃と一緒に吸塵開口９１に吸込むとともに、前記循環する空気を利用して回転清掃体５３を回転させてそのブレード１０２で被掃除面の塵埃のかき出しを行ないながら、空気循環式の掃除をすることができる。
【００６９】
この空気循環式の掃除をする電気掃除機１１が備える吸込み口体１３において、吸込み口体１３が床面に沈み込むことがない例えばフローリング床Ａ等の掃除にあっては、後述のように吸塵溝１７３、１７４からの塵埃の前方への漏れが抑制され、この抑制をするための防風材を吸塵溝１７３、１７４に設けていないので、吸込み口体１３が後方から押し動かされるに伴って、第１、第２の吸塵溝１７３、１７４の前方に位置する塵埃を、これら吸塵溝１７３、１７４に通して吸込み口体主部５２内に吸込むことができ、その際、これら吸塵溝１７３、１７４を通る空気及び塵埃は、吸塵溝１７３、１７４に対する障壁部１７５、１７６のガイド面１７５ａ、１７６ａ等によって吸塵溝出口１７３ａ、１７４ａ側に導かれる。こうした吸塵溝１７３、１７４からの吸塵は、特に、部屋のコーナー部などを掃除するのに有効である。
【００７０】
ところで、回転清掃体５３は既述のように循環空気の力で吸込み口体１３の前進方向に対して逆回転するとともに、その際にブレード１０２は床面Ａを掃くように動かされるので、このブレード１０２によって吸塵開口９１と対向する床面Ａからかき上げられた塵埃が前方へ弾き飛ばされる。しかし、こうした事情に拘らず、弾き飛ばされた塵埃が吸塵溝１７３、１７４を通って吸込み口体１３の前方へ飛び出すことは抑制される。
【００７１】
すなわち、障壁部１７５は第１吸塵溝１７３の吸塵溝入口１７３ｂを吸塵開口９１側からみて殆ど覆い隠しており、同様に、障壁部１７６は第２吸塵溝１７４の吸塵溝入口１７４ｂ全体を吸塵開口９１側からみて覆い隠しているので、回転清掃体５３のブレード１０２により前側に向けて弾き飛ばされた塵埃が吸塵溝入口１７３ｂ、１７４ｂに至ることを、前記障壁部１７５、１７６によって邪魔することができる。しかも、本実施形態では、吸塵溝１７３、１７４が曲がっていて、その吸塵溝出口１７３ａ、１７４ａと個別に対向する補助障壁部としての屈曲部１７７、１７８が、ガイド面１７５ａ、１７６ａと対向して設けられているので、吸塵溝出口１７３ａ、１７４ａ内に弾き飛ばされた塵埃も、これら屈曲部１７７、１７８をストッパとして吸塵溝入口１７３ｂ、１７４ｂに至ることを邪魔できる。したがって、既述のように前方へ弾き飛ばされた塵埃が吸塵溝１７３、１７４を通って吸込み口体１３の前方へ通り抜けて漏れることを抑制しつつ、吸塵溝１７３、１７４での吸塵機能を全うすることができる。
【００７２】
しかも、第１吸塵溝１７３及び第２吸塵溝１７４において、その吸塵溝出口１７３ａ、１７４ａの出口幅は吸塵溝入口１７３ｂ、１７４ｂの入口幅よりも狭くなっているので、吸塵溝１７３、１７４の吸塵溝入口１７３ｂ、１７４ｂの入口幅を大きく確保して、その前方の塵埃を吸込み易くできる。
【００７３】
図１１〜図１３は本発明の第２参考例を示している。この第２参考例は、吸塵溝の構成が異なり、それ以外の構成は図１１〜図１３に示されない構成を含めて前記第１参考例に係る吸込み口体及びこれを備えた電気掃除機と同じであるから、第１参考例と同一構成部分には同一符号を付してその説明を省略し、以下、吸塵溝について説明する。
【００７４】
第２参考例において、吸込み口体主部５２の底壁１７２における吸塵開口９１の前側に位置した前部底壁部分１７２ａには、その長手方向に所定間隔を置いて同一構造の吸塵溝２７１及び障壁部２７２が設けられている。
【００７５】
各吸塵溝２７１は、前部底壁部分１７２ａを前後方向に横切るとともに同底壁部分１７２ａの下面に開放して設けられ、その吸塵開口９１側の一端は吸塵溝出口２７１ａをなし、この出口２７１ａとは反対側の他端は吸塵溝入口２７１ｂをなしている。これら吸塵溝出口２７１ａと吸塵溝入口２７１ｂとは、吸込み口体主部５２の幅方向に位置がずれることなく前後方向に対向するように設けられている。
【００７６】
障壁部２７２は、吸塵溝出口２７１ａが上向きとなるようにこの出口２７１ａを吸塵開口９１側で覆った垂直状の起立壁で形成されている。すなわち、障壁部２７２は、吸塵開口９１側から吸塵溝２７１をみてその吸塵溝入口２７１ｂの全体を覆い隠して設けられている。この障壁部２７２の下端面は前部底壁部分１７２ａの下面と略同じ高さ位置にあり、又、障壁部２７２の吸塵溝入口２７１ｂと対向する面を含んだ内面は、吸塵溝２７１を通る空気を案内するガイド面２７２ａをなしている。しかも、障壁部２７２は吸塵溝２７１の深さよりも高く起立していて、それにより、吸塵溝２７１は図１１に示すようにＬ字状に折れ曲がって上下方向に屈曲した風路を形成し、その内部を通る空気が清掃体収容室８２内に上向きに吸込まれて、その吸塵溝出口２７１ａから出る空気が、回転清掃体５３のブレード１０２が前方に突出するように位置された時に、このブレード１０２に吹付けられるようになっている。なお、以上説明した点以外の構成は図示されない部分を含めて前記第１参考例と同じである。
【００７７】
この第２参考例の構成においても回転清掃体５３のブレード１０２により前方へ弾き飛ばされた塵埃が、吸塵溝入口２７１ｂに至ることを、起立壁からなる障壁部２７２をストッパとして邪魔できるので、前方へ弾き飛ばされた塵埃が各吸塵溝２７１を通って吸込み口体１３の前方へ通り抜けて漏れることを抑制しつつ、吸塵溝２７１での吸塵機能を全うすることができる。
【００７８】
しかも、この第２参考例では、吸塵溝２７１に吸込まれた空気を障壁部２７２によって回転清掃体５３が収容された部分に対して上向きに方向変換して導入させて、この風の流れを、回転清掃体５３の前側に突出するように位置されたブレード１０２に上向きに作用させることができるから、回転清掃体５３の回転を補助することができる。その上、以上のような吸込み風の方向変換により、吸塵溝出口２７１ａを通り抜けた直後の空気が回転清掃体５３の回転を妨げるように下側位置のブレード１０２に衝突することも防止して、回転清掃体５３の回転を円滑ならしめることができる。
【００７９】
図１４は本発明の第３参考例を示している。この第３参考例は、吸塵溝の構成が異なり、それ以外の構成は図１４に示されない構成を含めて前記第１参考例に係る吸込み口体及びこれを備えた電気掃除機と同じであるから、第１参考例と同一構成部分には同一符号を付してその説明を省略し、以下、吸塵溝について説明する。
【００８０】
第３参考例において、吸込み口体主部５２の底壁１７２における吸塵開口９１の前側に位置した前部底壁部分１７２ａには、その長手方向に所定間隔を置いて同一構造の吸塵溝３７１及び障壁部３７２が二対左右対称に設けられている。
【００８１】
各吸塵溝３７１は、前部底壁部分１７２ａを斜めに横切るとともに同底壁部分１７２ａの下面に開放して設けられ、その吸塵開口９１側の一端は吸塵溝出口３７１ａをなし、この出口３７１ａとは反対側の他端は吸塵溝入口３７１ｂをなしている。
【００８２】
各障壁部３７２は、吸塵溝３７１の片側の溝側面からなる斜めのガイド面３７２ａを有した三角形状の部分で形成されており、吸塵開口９１側から吸塵溝３７１をみてその吸塵溝入口３７１ｂの全体を覆い隠して設けられている。この障壁部３７２の下端面は前部底壁部分１７２ａの下面と略同じ高さ位置にある。そして、ガイド面３７２ａと対向する吸塵溝３７１の他方の溝側面３７１ｃは、ガイド面３７２ａと平行に設けられている。空気及び塵埃の吸込みを案内するガイド面３７２ａ及び溝側面３７１ｃは、いずれも吸塵溝入口３７１ｂから吸塵溝出口３７１ａにわたる平坦な面で形成されている。したがって、吸塵溝入口３７２ｂと吸塵溝出口３７２ａとは吸込み口体主部５２の幅方向に位置ずれしているとともに、溝側面３７１ｃの吸塵溝出口３７１ａ側の端部は、吸塵溝出口３７１ａに対向して補助障壁部をなしている。なお、以上説明した点以外の構成は図示されない部分を含めて前記第１参考例と同じである。
【００８３】
この第３参考例の構成においても回転清掃体５３のブレード１０２により前方へ弾き飛ばされた塵埃が、吸塵溝入口３７１ｂに至ることを、障壁部３７２をストッパとして邪魔できる。しかも、吸塵開口９１側から吸塵溝３７１をみて溝側面３７１ｃのうち吸塵溝出口３７１ａと対向する溝側面部分でも、回転清掃体５３の回転に伴い前側に向けて弾き飛ばされた塵埃が吸塵溝入口３７１ｂに至ることを邪魔することができる。よって、前方へ弾き飛ばされた塵埃が各吸塵溝３７１を通って吸込み口体１３の前方へ通り抜けて漏れることを抑制しつつ、吸塵溝３７１での吸塵機能を全うすることができる。その上、吸塵溝３７１の一方の溝側面をなすガイド面３７２ａとこれに対向する溝側面３７１ｃとは、その途中が曲がっておらず平坦な面で形成されているから、吸塵溝３７１の風路抵抗が少なく、吸塵溝３７１の前方の塵埃をより吸込み易い。
【００８４】
図１５は本発明の第４参考例を示している。この第４参考例は、吸塵溝の構成が異なり、それ以外の構成は図１５に示されない構成を含めて前記第１参考例に係る吸込み口体及びこれを備えた電気掃除機と同じであるから、第１参考例と同一構成部分には同一符号を付してその説明を省略し、以下、吸塵溝について説明する。
【００８５】
第４参考例において、吸込み口体主部５２の底壁１７２における吸塵開口９１の前側に位置した前部底壁部分１７２ａには、左右対称の一対の第１吸塵溝４７１及び障壁部４７２と、これらの間に位置する第２吸塵溝４７３及び障壁部４７４、４７５とが設けられている。
【００８６】
第１吸塵溝４７１は、前部底壁部分１７２ａを斜めに横切るとともに同底壁部分１７２ａの下面に開放して設けられ、その吸塵開口９１側の一端は吸塵溝出口４７１ａをなし、この出口４７１ａとは反対側の他端は吸塵溝入口４７１ｂをなしている。
【００８７】
障壁部４７２は、吸塵溝４７１の片側の溝側面からなる斜めのガイド面４７２ａを有した三角形状の部分で形成されており、吸塵開口９１側から吸塵溝４７１をみてその吸塵溝入口４７１ｂの全体を覆い隠して設けられている。この障壁部４７２の下端面は前部底壁部分１７２ａの下面と略同じ高さ位置にある。そして、ガイド面４７２ａと対向する吸塵溝４７１の他方の溝側面４７１ｃは、吸塵溝入口４７１ｂの幅を吸塵溝出口４７１ａの幅よりも広くするようにガイド面４７２ａとは平行ではなく設けられている。空気及び塵埃の吸込みを案内するガイド面４７２ａ及び溝側面４７１ｃは、いずれも吸塵溝入口４７１ｂから吸塵溝出口４７１ａとにわたる平坦な面で形成されている。したがって、吸塵溝入口４７２ｂと吸塵溝出口４７２ａとは吸込み口体主部５２の幅方向に位置ずれしているとともに、溝側面４７１ｃの吸塵溝出口４７１ａ側の端部は、吸塵溝出口４７１ａに対向して補助障壁部をなしている。
【００８８】
第２吸塵溝４７３は、その内部に台形状の補助障壁部４７５を設けて略Ｖ字形状をなして前部底壁部分１７２ａを横切るとともに同底壁部分１７２ａの下面に開放して設けられ、その吸塵開口９１側の一端は吸塵溝出口４７３ａをなし、この出口４７３ａとは反対側の一対の他端は吸塵溝入口４７３ｂをなしている。
【００８９】
障壁部４７４は、吸塵溝４７３の溝側面からなる斜めのガイド面４７４ａを有した三角形状の部分で形成されており、吸塵開口９１側から吸塵溝４７３をみてその吸塵溝入口４７１ｂの一部（両端部側）を覆い隠して設けられている。補助障壁部４７５は、吸塵溝出口４７３ａと対向して設けられている。これらの障壁部４７４、４７５の下端面は前部底壁部分１７２ａの下面と略同じ高さ位置にある。したがって、これら障壁部４７４、４７５によって、吸塵開口９１側から吸塵溝４７３をみてその吸塵溝入口４７１ｂは覆い隠されている。そして、ガイド面４７４ａと対向する補助障壁部４７５の傾斜した側面は、吸塵溝入口４７１ｂの幅を吸塵溝出口４７１ａの幅よりも広くするようにガイド面４７４ａとは平行ではなく設けられている。空気及び塵埃の吸込みを案内するガイド面４７４ａ及び補助障壁部４７５の傾斜した側面は、いずれも吸塵溝入口４７１ｂから吸塵溝出口４７１ａにわたる平坦な面で形成されている。なお、以上説明した点以外の構成は図示されない部分を含めて前記第１参考例と同じである。
【００９０】
この第４参考例の構成においても回転清掃体５３のブレード１０２により前方へ弾き飛ばされた塵埃が、第１吸塵溝４７１の吸塵溝入口４７１ｂに至ることを障壁部４７２をストッパとして邪魔できるとともに、同塵埃が、第２吸塵溝４７３の吸塵溝入口４７３ｂに至ることを障壁部４７４及び補助障壁部４７５をストッパとして邪魔できる。よって、前方へ弾き飛ばされた塵埃が各吸塵溝４７１、４７３を通って吸込み口体１３の前方へ通り抜けて漏れることを抑制しつつ、吸塵溝４７１、４７３での吸塵機能を全うすることができる。その上、第１吸塵溝４７１の一方の溝側面をなすガイド面４７２ａとこれに対向する溝側面４７１ｃとは、その途中が曲がっておらず平坦な面で形成されているとともに、同様に、第２吸塵溝４７３の一方の溝側面をなすガイド面４７４ａとこれに対向する補助障壁部４７５の側面とは、その途中が曲がっておらず平坦な面で形成されているから、吸塵溝４７１、４７３の風路抵抗が少なく、吸塵溝４７１、４７３の前方の塵埃をより吸込み易い。
【００９１】
図１６は本発明の一実施の形態を示している。この一実施形態は、吸塵溝の構成が異なり、それ以外の構成は図１６に示されない構成を含めて前記第１参考例に係る吸込み口体及びこれを備えた電気掃除機と同じであるから、第１参考例と同一構成部分には同一符号を付してその説明を省略し、以下、吸塵溝について説明する。
【００９２】
一実施形態において、吸込み口体主部５２の底壁１７２における吸塵開口９１の前側に位置した前部底壁部分１７２ａには、その長手方向に所定間隔を置いて同一構造の吸塵溝５７１及び障壁部５７２が設けられている。
【００９３】
各吸塵溝５７１は、前部底壁部分１７２ａを前後方向に横切るとともに同底壁部分１７２ａの下面に開放して設けられ、その吸塵開口９１側の一端は吸塵溝出口５７１ａをなし、この出口５７１ａとは反対側の他端は吸塵溝入口５７１ｂをなしている。これら吸塵溝出口５７１ａと吸塵溝入口５７１ｂとは吸込み口体主部５２の前後方向に対向して設けられている。
【００９４】
障壁部５７２は、吸塵溝５７１の溝側面からなる斜めのガイド面５７２ａを有した三角形状の部分で形成されており、吸塵開口９１側から吸塵溝５７１をみてその吸塵溝入口５７１ｂの一部（両端部側）を覆い隠して設けられている。相対向して空気及び塵埃の吸込みを案内するガイド面５７２ａは、吸塵溝入口５７１ｂを吸塵溝出口５７１ａに対して広くするようにいずれも互いに逆方向に傾斜されていて、いずれも吸塵溝入口５７１ｂから吸塵溝出口５７１ａにわたる平坦な面で形成されている。この障壁部５７２の下端面は前部底壁部分１７２ａの下面と略同じ高さ位置にある。なお、以上説明した点以外の構成は図示されない部分を含めて前記第１参考例と同じである。
【００９５】
この一実施形態の構成においても回転清掃体５３のブレード１０２により前方へ弾き飛ばされた塵埃が、吸塵溝入口５７１ｂに至ることを、障壁部５７２をストッパとして邪魔できる。よって、前方へ弾き飛ばされた塵埃が各吸塵溝５７１を通って吸込み口体１３の前方へ通り抜けて漏れることを抑制しつつ、吸塵溝５７１での吸塵機能を全うすることができる。その上、吸塵溝５７１の溝側面をなすガイド面５７２ａは、その途中が曲がっておらず平坦な面で形成されているから、吸塵溝５７１の風路抵抗が少なく、吸塵溝５７１の前方の塵埃をより吸込み易い。しかも、相対向するガイド面５７２ａの傾斜によって、吸塵溝５７１の吸塵溝入口５７１ｂの幅を大きく確保して、吸塵溝５７１の前方の塵埃を吸込み易くできる。
【００９６】
図１７は本発明の第５参考例を示している。この第５参考例は、吸塵溝の構成が異なり、それ以外の構成は図１７に示されない構成を含めて前記第１参考例に係る吸込み口体及びこれを備えた電気掃除機と同じであるから、第１参考例と同一構成部分には同一符号を付してその説明を省略し、以下、吸塵溝について説明する。
【００９７】
第５参考例において、吸込み口体主部５２の底壁１７２における吸塵開口９１の前側に位置した前部底壁部分１７２ａには、その長手方向に所定間隔を置いて同一構造の吸塵溝６７１及び障壁部６７２が設けられている。
【００９８】
各吸塵溝６７１は、前部底壁部分１７２ａを前後方向に横切るとともに同底壁部分１７２ａの下面に開放して設けられ、その吸塵開口９１側の一端は吸塵溝出口６７１ａをなし、この出口６７１ａとは反対側の他端は吸塵溝入口６７１ｂをなしている。
【００９９】
障壁部６７２は、吸塵溝６７１内にその一方の溝側面から他方の溝側面に向けてこの他方の溝側面との間に通気間隙を設けて突出するように１以上のバッフル壁で形成されている。本実施形態においては、両方の溝側面から夫々突出するようにして障壁部６７２を設けてあり、これらの障壁部６７２の吸塵開口９１とは反対側の面はガイド面６７２ａとなっている。これらの障壁部６７２は吸塵溝６７１の幅の少なくとも半分程度の長さを有している。しかも、吸塵溝６７１の風路抵抗を少しでも少なくするために、両障壁部６７２は吸込まれる空気の流れ方向に傾斜されている。したがって、吸塵開口９１側から吸塵溝６７１をみてその吸塵溝入口５７１ｂ全体を両障壁部６７２は覆い隠している。なお、以上説明した点以外の構成は図示されない部分を含めて前記第１参考例と同じである。
【０１００】
この第５参考例の構成においても回転清掃体５３のブレード１０２により前方へ弾き飛ばされた塵埃が、吸塵溝入口６７１ｂに至ることを、障壁部６７２をストッパとして邪魔でき、又、吸塵溝６７１の前方の塵埃は空気とともに障壁部６７２を迂回しながら吸込み口体主部５２内に吸込まれる。よって、前方へ弾き飛ばされた塵埃が各吸塵溝６７１を通って吸込み口体１３の前方へ通り抜けて漏れることを抑制しつつ、吸塵溝６７１での吸塵機能を全うすることができる。
【０１０１】
図１８及び図１９は本発明の第６参考例を示している。この第６参考例は、空気非循環式のキャニスタ型電気掃除機に適用した例であり、又、その吸込み口体には前記第２参考例と同じ物を使用しており、したがって、第２参考例と同一構成部分には同一符号を付してその説明を省略し、以下、掃除機本体等の構成について説明する。
【０１０２】
図１８に示すように掃除機本体１００１は、本体ケース１００２、この本体ケース１００２の内部に形成された図示しない集塵室に配設されたフィルタとしての集塵袋からなる集塵装置、前記集塵室の下流側つまり後部に形成された図示しない電動送風機室に配設された電動送風機１０００等から構成されている。本体ケース１００２の前端部には前記集塵室に連通する吸込口１００３が設けられ、本体ケース１００２の後壁には吸込んだ空気を外部に放出するための図示しない排気口が形成されている。なお、１００４は集塵室の上面開口を開閉する蓋体、１００５は掃除機本体１００１を持ち運ぶ際に用いる持運びハンドル、１００６は本体ケース１００２の前側下面に設けた旋回輪、また、１００７は本体ケース１００２の後部両側壁に設け走行輪である。
【０１０３】
吸込口１００３に取外し可能に接続される吸込ホース１０１０は、可撓性を有するホース１０１１、このホース１０１１の一端部に設けられた接続管１０１２、ホース１０１１の他端部に設けられた握り管１０１３とから構成されている。接続管１０１２は吸込口１００３に着脱可能に嵌合し、この接続管１０１２を介して吸込ホース１０は掃除機本体１００１に接続される。握り管１０１３は、図１８に示すように延長管１０１４の一端部が嵌合接続される嵌合口（図示せず）を前部に有する接続部１０１５、この接続部１０１５に一体に形成された操作ハンドル１０１６とから構成されている。操作ハンドル１０１６の上面には前記電動送風機及び後述の清掃体モータを制御する複数の制御スイッチ１０１７が設けられている。
【０１０４】
前記握り管１０１３の接続部１０１５には、図１８に示すように第１延長管１０１８が嵌合して接続され、この延長管１０１８には第２延長管１０１９が接続されている。この第２延長管１０１９には前記第２実施形態で説明した既述の吸込み口体１３の連通管が着脱可能に嵌合して接続されるようになっている。又、吸込み口体１３内には、吸塵開口９１の後側に位置して清掃体モータ１０２０が内蔵され、このモータ１０２０は図示しないベルト伝動機構や歯車機構を介して回転清掃体５３の回転軸１０１の一端部に連結されている。そのため、回転清掃体５３は、清掃体モータ１０２０の駆動力により、吸込み口体１３の前進方向に対して逆方向に回転されるようになっている。
【０１０５】
この電気掃除機で掃除をする場合は、掃除機本体１００１に吸込ホース１０１０および延長管１０１８、１０１９を介して吸込み口体１３を接続し、握り管１０１３に設けた制御スイッチ１０１７を操作して本体ケース１００２内の図示しない電動送風機及び吸込み口体１３内の清掃体モータ１０２０を駆動し、操作ハンドル１０１６を把持して吸込み口体１３をフローリング床Ａ等の被掃除面上に走行させて、掃除を行うものである。この場合、本体ケース１００２内の電動送風機の駆動によって被掃除面に存在する塵埃は、吸込気流とともに吸込み口体１３の吸塵開口９１から延長管１０１９、１０１８、および吸込ホース１０１０を介して本体ケース１００２内の集塵室内に吸引される。そして、塵埃は前記集塵装置によって補足され、塵埃が除去された吸込気流は排気風として前記図示しない排気口から掃除機本体１００１の外部に排気されるものである。なお、以上説明した点以外の構成は前記第２参考例と同じである。
【０１０６】
したがって、この空気非循環式の電気掃除機においても、前記第２参考例と同様に、その吸込み口体１３の前部底壁部分１７２ａに形成した複数の吸塵溝２７１とそれらに対する障壁部２７２（図示しない）とによって、回転清掃体５３の回転に伴いそのブレード１０２で前方へ弾き飛ばされた塵埃が吸塵溝２７１を通って吸込み口体１３の前方へ通り抜けて漏れることを抑制しつつ、吸塵溝２７１での吸塵機能を全うすることができる。
【０１０７】
なお、本発明は、ハンディ型の空気循環式電気掃除機にも適用できる。
【０１０８】
【発明の効果】
請求項１，２に係る発明の吸込み口体によれば、前進方向と逆方向に回転される回転清掃体により弾き飛ばされた塵埃が、前方の塵埃を吸込むために吸込み口体主部の前部底壁部分に設けた吸塵溝を通り抜けることを、底壁に設けた障壁部によって抑制したから、吸塵溝から塵埃が漏れることを抑制しつつ、吸塵溝の機能を全うできる吸込み口体を提供できる。
【０１０９】
請求項１〜７に係る発明の吸込み口体によれば、前進方向と逆方向に回転される回転清掃体により弾き飛ばされた塵埃が、前方の塵埃を吸込むために吸込み口体主部の前部底壁部分に設けた吸塵溝を通り抜けることを、底壁に設けた障壁部によって抑制したから、吸塵溝から塵埃が漏れることを抑制しつつ、吸塵溝の機能を全うできる吸込み口体を提供をできる。
【０１１１】
請求項３，４に係る発明の電気掃除機によれば、請求項１又は２に記載の吸込み口体を備えるから、この吸込み口体の吸塵溝から塵埃が漏れることを抑制しつつ、吸塵溝の機能を全うできるので、掃除性能を向上でき、それ故に高品質な電気掃除機を提供できる。
【図面の簡単な説明】
【図１】  本発明の第１参考例に係るアップライト型の空気循環式電気掃除機全体の構成を一部切欠して概略的に示す斜視図。
【図２】  第１参考例に係る電気掃除機の掃除機本体及び吸込み口体とを示す断面図。
【図３】  図２に示された電気掃除機の吸込み口体回りの構成を拡大して示す断面図。
【図４】  図３に示された吸込み口体の構成を示す平面図。
【図５】  図３に示された吸込み口体の構成をその主部上ケースを取除くとともに一部を断面して示す平面図。
【図６】  図３に示された吸込み口体の構成をその主部上ケース、主部中ケース、及び連通管を取除いて示す平面図。
【図７】  （Ａ）は図３に示された吸込み口体が備える連通管を示す側面図。
（Ｂ）は図７（Ａ）中Ｙ−Ｙ線に沿う断面図。
（Ｃ）は図３に示された吸込み口体が備える連通管を一部断面して示す正面図。
【図８】  図３に示された吸込み口体の構成を示す底面図。
【図９】  図４中Ｚ−Ｚ線に沿う断面図。
【図１０】  （Ａ）は図３に示された吸込み口体が有する吸込み口体主部を引っくり返してその前部底壁部分を示す斜視図。
（Ｂ）は同前部底壁部分を吸塵開口側からみて示す斜視図。
【図１１】  本発明の第２参考例に係る吸込み口体の構成を示す前記図９相当の断面図。
【図１２】  図１１の吸込み口体の構成を示す底面図。
【図１３】  （Ａ）は図１１に示された吸込み口体が有する吸込み口体主部を引っくり返してその前部底壁部分を示す斜視図。
（Ｂ）は同前部底壁部分を吸塵開口側からみて示す斜視図。
【図１４】  本発明の第３参考例に係る吸込み口体の構成を示す底面図。
【図１５】  本発明の第４参考例に係る吸込み口体の構成を示す底面図。
【図１６】  本発明の一実施の形態に係る吸込み口体の構成を示す底面図。
【図１７】  本発明の第５参考例に係る吸込み口体の構成を示す底面図。
【図１８】  本発明の第６参考例に係る空気非循環式電気掃除機の構成を示す斜視図。
【図１９】  図１８に示された電気掃除機が備えた吸込み口体の構成を示す断面図。
【符号の説明】
１１…電気掃除機、
１２…掃除機本体、
１３…吸込み口体、
３１…集塵袋（フィルタ）、
３５…電動送風機、
５１…連通管、
５２…吸込み口体主部、
５３…回転清掃体、
５４…還流吹出し口、
６１…外側管部、
６２…内側管部、
６２ａ…内側管部の入口、
６３…枢軸管部、
７１…主部上ケース、
７２…主部下ケース、
７３…主部中ケース、
８２…清掃体収容室、
８３…吹出し室、
９１…吸塵開口、
１０２…ブレード（清掃部材）、
Ａ…戻り風路、
Ｂ…吸込み風路
１７２…底壁、
１７２ａ…前部底壁部分、
５７１…吸塵溝、
５７１ａ…吸塵溝出口、
５７１ｂ…吸塵溝入口、
５７２…障壁部、
５７２ａ…ガイド面。
【図１】
0003819641.tif 000002
【図２】
0003819641.tif 000003
【図３】
0003819641.tif 000004
【図４】
0003819641.tif 000005
【図５】
0003819641.tif 000006
【図６】
0003819641.tif 000007
【図７】
0003819641.tif 000008
【図８】
0003819641.tif 000009
【図９】
0003819641.tif 000010
【図１０】
0003819641.tif 000011
【図１１】
0003819641.tif 000012
【図１２】
0003819641.tif 000013
【図１３】
0003819641.tif 000014
【図１４】
0003819641.tif 000015
【図１５】
0003819641.tif 000016
【図１６】
0003819641.tif 000017
【図１７】
0003819641.tif 000018
【図１８】
0003819641.tif 000019
【図１９】
0003819641.tif 000020